(57)【要約】【課題】基地局（フェムトセル）と移動局（無線通信端末）との間の通信の品質に基づいて自局（フェムトセル）の異常を検出し、異常検出時に所定の相手先（例えば当該基地局の所有者）に当該異常を示すメッセージを通知し得る基地局を提供する。【解決手段】本発明の基地局（フェムトセル）１００は、移動局（無線通信端末）３００から送信される上り信号を受信する受信部と、該受信部により受信した移動局（無線通信端末）３００から送信される上り信号の品質に基づいて自局（フェムトセル）１００の異常を検出する異常検出部１８０ｂと、異常検出部１８０ｂにより自局（フェムトセル）１００の異常が検出されると、所定の相手先へ当該異常を示すメッセージを送信するように制御する制御部１８０とを備える。【選択図】図２
2010109406.tif 000002
【特許請求の範囲】
【請求項１】
移動体通信システムの基地局であって、
移動局から送信される上り信号を受信する受信部と、
該受信部により受信した前記移動局から送信される上り信号の品質に基づいて自局の異常を検出する検出部と、
該検出部により自局の異常が検出されると、所定の相手先へ当該異常を示すメッセージを送信するように制御する制御部と、
を備えることを特徴とする基地局。
【請求項２】
自局と通信可能な移動局機能部を備え、
前記受信部は、前記移動局機能部から送信される上り信号を受信し、
前記検出部は、前記移動局から送信される上り信号の品質と、前記移動局機能部から送信される上り信号の品質とに基づいて自局の異常を検出することを特徴とする請求項１記載の基地局。
【請求項３】
前記検出部は、前記移動局から送信される上り信号の品質と、前記移動局機能部から送信される上り信号の品質との双方が所定の品質を満たさない場合に、自局を異常として検出することを特徴とする請求項２記載の基地局。
【請求項４】
移動体通信システムの基地局であって、
自局が送信した下り信号の品質情報を移動局から受信する受信部と、
該受信部により受信した前記自局が送信した下り信号の品質情報に基づいて自局の異常を検出する検出部と、
該検出部により自局の異常が検出されると、所定の相手先へ当該異常を示すメッセージを送信するように制御する制御部と、
を備えることを特徴とする基地局。
【請求項５】
自局と通信可能な移動局機能部を備え、
前記検出部は、前記移動局から受信する下り信号の品質情報と、前記移動局機能部から通知される下り信号の品質情報とに基づいて自局の異常を検出することを特徴とする請求項４記載の基地局。
【請求項６】
前記検出部は、前記移動局から受信する下り信号の品質情報に基づく品質と、前記移動局機能部から通知される下り信号の品質情報に基づく品質との双方が所定の品質を満たさない場合に、自局を異常として検出することを特徴とする請求項５記載の基地局。
【発明の詳細な説明】
【技術分野】
【０００１】
本発明は、フェムトセルに代表される基地局であって、自局の故障検出機能を付加した基地局に関するものである。
【背景技術】
【０００２】
従来、ユーザ宅や小規模オフィス内などに設置可能なフェムトセルと呼ばれる基地局が知られている。フェムトセルとは、商用ブロードバンド回線（光、ＡＤＳＬなど）を経由してセルラー網に接続されている超小型の基地局のことをいう。フェムトセルは、半径数メートル〜１０メートル程度のエリアをカバーするため、屋内での携帯電話等の無線通信端末の不感地帯を解消することができる。
【０００３】
フェムトセルの普及により、フェムトセル所有者（フェムトセル設置者）およびフェムトセルユーザは、「屋内カバレッジが改善される」、「基地局を独占できることにより通信品質および通信速度が向上する」、「事業者によるフェムトセル経由での通信に対する料金割引サービスが導入できる」などのメリットを期待することができる。一方、事業者は、「低コストでカバレッジ改善が可能になる」、「増大する音声通信やデータ通信のトラフィックに対し、既存基地局の負荷を低減することが可能になる」などのメリットを期待することができる。
ところで、既存基地局に関しては、基地局の故障を診断する技術（例えば特許文献１参照）が提案されている
【特許文献１】特開平４−４２６２８号公報
【発明の開示】
【発明が解決しようとする課題】
【０００４】
フェムトセルは、一般家庭や小規模オフィスなどに設置されるため、既存基地局に比べて設置台数は膨大な数となる。また、その設置および電源のＯＮ／ＯＦＦなどはフェムトセル所有者が行うことになるため、既存基地局のような「センタ局で一括した状態監視を行い、基地局の故障診断を行うこと」は困難である。
一方、上記技術（特許文献１参照）は、既存基地局（公衆基地局）に関するものであるため、フェムトセルの故障を診断して、診断結果をフェムトセル所有者へ通知するものではない。
一般家庭や小規模オフィスなどに設置されるフェムトセルに関しては、フェムトセルの異常を検出した場合に当該異常をフェムトセル所有者に通知する必要がある。
【０００５】
本発明は、基地局（例えばフェムトセル）と移動局（無線通信端末）との間の通信の品質に基づいて自局（例えばフェムトセル）の異常を検出し、異常検出時に所定の相手先（例えば当該基地局の所有者）に当該異常を示すメッセージを通知し得る基地局を提供することを目的とする。
【課題を解決するための手段】
【０００６】
上記目的を達成するため、本発明の請求項１に係る基地局は、移動体通信システムの基地局であって、移動局から送信される上り信号を受信する受信部と、該受信部により受信した前記移動局から送信される上り信号の品質に基づいて自局の異常を検出する検出部と、該検出部により自局の異常が検出されると、所定の相手先へ当該異常を示すメッセージを送信するように制御する制御部と、を備えることを特徴とする。
【０００７】
本発明の請求項２に係る基地局は、自局と通信可能な移動局機能部を備え、前記受信部は、前記移動局機能部から送信される上り信号を受信し、前記検出部は、前記移動局から送信される上り信号の品質と、前記移動局機能部から送信される上り信号の品質とに基づいて自局の異常を検出することを特徴とする。
【０００８】
本発明の請求項３に係る基地局は、前記検出部は、前記移動局から送信される上り信号の品質と、前記移動局機能部から送信される上り信号の品質との双方が所定の品質を満たさない場合に、自局を異常として検出することを特徴とする。
【０００９】
上記目的を達成するため、本発明の請求項４に係る基地局は、移動体通信システムの基地局であって、自局が送信した下り信号の品質情報を移動局から受信する受信部と、該受信部により受信した前記自局が送信した下り信号の品質情報に基づいて自局の異常を検出する検出部と、該検出部により自局の異常が検出されると、所定の相手先へ当該異常を示すメッセージを送信するように制御する制御部と、を備えることを特徴とする。
【００１０】
本発明の請求項５に係る基地局は、自局と通信可能な移動局機能部を備え、
前記検出部は、前記移動局から受信する下り信号の品質情報と、前記移動局機能部から通知される下り信号の品質情報とに基づいて自局の異常を検出することを特徴とする。
【００１１】
本発明の請求項６に係る基地局は、前記検出部は、前記移動局から受信する下り信号の品質情報に基づく品質と、前記移動局機能部から通知される下り信号の品質情報に基づく品質との双方が所定の品質を満たさない場合に、自局を異常として検出することを特徴とする。
【発明の効果】
【００１２】
本発明によれば、基地局（例えばフェムトセル）と移動局（無線通信端末）との間の通信の品質に基づいて自局（例えばフェムトセル）の異常を検出し、異常検出時には所定の相手先（例えば当該基地局の所有者）に当該異常を示すメッセージを通知し得る基地局を提供することができる。
【発明を実施するための最良の形態】
【００１３】
以下、本発明を実施するための最良の形態を図面に基づき詳細に説明する。
図１は本発明の一実施形態に係る基地局を含む移動体通信システムの全体構成を示す図である。この移動体通信システムは、図１に示すように、一般家庭の家屋内に設置される基地局であるフェムトセル１００と、一般家庭の家屋内においてフェムトセル１００に無線接続される移動局である無線通信端末３００と、インターネット網４００を介してフェムトセル１００に接続されるフェムトセル用ネットワークコントローラ５００と、携帯電話のコアネットワーク（セルラー網）６００を介してフェムトセル用ネットワークコントローラ５００に接続される既存基地局７００ａ，７００ｂと、既存基地局７００ａに無線接続されている無線通信端末８００ａと、既存基地局７００ｂに無線接続されている無線通信端末８００ｂ，８００ｃから成る。
【００１４】
図２は本発明における基地局であるフェムトセル１００の内部構成を示すブロック図である。フェムトセル１００の内部は、図２に示すように、フェムトセル本体部と、フェムトセル本体部に内蔵される自局（フェムトセル１００）と通信可能な端末機能部（移動局機能部）１９０とに分かれている。フェムトセル本体部は、アンテナ１１０と、アンテナ１１０を接続する共用器１２０と、アンテナ１１０で受信した信号（以下、上り信号という）が共用器１２０を介して入力される無線受信部１３０ａと、共用器１２０およびアンテナ１１０を介して信号（以下、下り信号という）を送信する無線送信部１３０ｂと、無線受信部１３０ａから入力される上り信号および無線送信部１３０ｂから送信する下り信号の処理を行うベースバンド処理部１４０と、ユーザ登録情報（ユーザ登録情報は、少なくとも１人の当該フェムトセルとの通信を許可された無線通信端末のユーザ（当該フェムトセルに登録されたユーザ）の、携帯電話番号情報、端末ＩＤ等の識別情報およびメールアドレスやＩＰアドレス等を含んでおり、その中の１つのユーザ登録情報は、当該フェムトセルの所有者として設定および記憶されている）等の各種情報と、後述する無線通信端末３００から送信される上り信号の品質（受信状態）情報と、フェムトセル１００が送信した下り信号の品質（受信状態）情報等を記憶する記憶部１５０と、インターネット網４００との接続インターフェースであるＬＡＮ接続部１６０と、制御部１８０からの指示に基づいて端末機能部１９０の起動（ＯＮ）／動作終了（ＯＦＦ）を制御する端末機能部ＯＮ／ＯＦＦ制御部１７０と、ベースバンド処理部１４０，記憶部１５０，ＬＡＮ接続部１６０，端末機能部ＯＮ／ＯＦＦ制御部１７０および端末機能部１９０の制御を行う制御部１８０とを備えている。制御部１８０は、上り方向品質（受信状態）検出部１８０ａと、異常検出部１８０ｂと、通知メッセージ作成部１８０ｃとを有している。
【００１５】
端末機能部１９０は、内蔵アンテナ２００と、内蔵アンテナ２００が接続される共用器２１０と、内蔵アンテナ２００で受信した下り信号が共用器２１０を介して入力される無線受信部２２０ａと、共用器２１０および内蔵アンテナ２００を介して上り信号を送信する無線送信部２２０ｂと、無線受信部２２０ａから入力される下り信号および無線送信部２２０ｂから送信する上り信号の処理を行うベースバンド処理部２３０と、端末機能部１９０とフェムトセル本体部との通信を制御する端末機能制御部２４０とから成る。端末機能制御部２４０は、端末機能部１９０がフェムトセル本体部と通信を行う際の下り信号の品質として下り信号の受信状態を検出してこの検出結果を下り信号の品質情報として、受信状態情報をフェムトセル本体部に通知する下り方向品質（受信状態）検出・通知部２４０ａを含んでいる。
【００１６】
フェムトセル１００の端末機能部１９０は、故障診断用の端末機能を提供する。この端末機能は、下り信号の受信状態（受信レベル）および下り信号のＣＲＣチェックコードによるエラー検出率をフェムトセル本体部に通知する機能を有している。
フェムトセル１００は、無線通信端末３００または内蔵する端末機能部１９０と通信を行う際の上り信号の受信状態（受信レベル）およびＣＲＣチェックコードによる上り信号のエラー検出率、ならびに、下り信号の受信状態（受信レベル）およびＣＲＣチェックコードによる下り信号のエラー検出率を検出および記憶するものとする。
【００１７】
制御部１８０は、異常検出部１８０ｂにより自局（フェムトセル１００）の異常が検出されると、所定の相手先（例えば登録ユーザ）へ当該異常を示すメッセージを送信（通知）するように制御する制御部に対応している。アンテナ１１０、共用器１２０および無線受信部１３０ａは、移動局（無線通信端末３００）から送信される上り信号を受信する受信部、端末機能部１９０から送信される上り信号を受信する受信部、自局（フェムトセル１００）が送信した下り信号の品質情報（受信状態情報）を移動局（無線通信端末３００）から受信する受信部に対応している。端末機能部１９０の下り方向品質（受信状態）検出・通知部２４０ａにおいて検出された下り信号の品質情報は、端末機能制御部２４０とフェムトセルの制御部１８０との間の内部インターフェースを介して、端末機の産１９０から自局（フェムトセル１００）に通知される。
【００１８】
上り方向受信状態検出部１８０ａは、移動局（無線通信端末３００）から送信される上り信号の品質として上り信号の受信状態を検出する。
【００１９】
異常検出部１８０ｂは、移動局（無線通信端末３００）から送信される上り信号の品質（受信状態）に基づいて自局の異常（フェムトセル１００の故障）を検出する。また、異常検出部１８０ｂは、移動局（無線通信端末３００）から送信される上り信号の品質（受信状態）と、端末局機能部１９０から送信される上り信号の品質（受信状態）とに基づいて自局の異常（フェムトセル１００の故障）を検出する。さらに、異常検出部１８０ｂは、移動局（無線通信端末３００）から送信される上り信号の品質（受信状態）と、端末機能部１９０から送信される上り信号の品質（受信状態）との双方が所定の品質（受信状態）を満たさない場合に、自局（フェムトセル１００）を異常として検出する。
また、異常検出部１８０ｂは、移動局（無線通信端末３００）から受信した、自局（フェムトセル１００）が送信した下り信号の品質情報（受信状態情報）に基づいて自局の異常（フェムトセル１００の故障）を検出する。また、異常検出部１８０ｂは、移動局（無線通信端末３００）から受信する下り信号の品質情報（受信状態情報）と、端末機能部１９０から通知される下り信号の品質（受信状態情報）とに基づいて自局の異常（フェムトセル１００の故障）を検出する。さらに、異常検出部１８０ｂは、移動局（無線通信端末３００）から受信する下り信号の品質情報（受信状態情報）に基づく品質（受信状態）と、端末局機能部１９０から通知される下り信号の品質情報（受信状態情報）に基づく品質（受信状態）との双方が所定の品質（受信状態）を満たさない場合に、自局（フェムトセル１００）を異常として検出する。
【００２０】
通知メッセージ作成部１８０ｃは、所定の宛先（相手先）へ通知する、当該異常を示すメッセージを作成する。所定の宛先としては、当該フェムトセルの所有者や登録ユーザの携帯電話の電話番号、メールアドレスや、その他当該フェムトセルに対応付けて登録しているメールアドレスを用いることができる。当該異常を示すメッセージとしては、「当該フェムトセルが故障した旨を示す、電子メール、ＳＭＳメッセージ、メッセンジャー、ボイスメール」等を用いることができる。なお、「所定の宛先へ当該異常を示すメッセージ」を通知する際には、インターネット網４００等の有線ネットワーク経由で通知することが好ましい。また、所定の相手先はフェムトセルの所有者や登録ユーザに限られるものではなく、例えばフェムトセルを管理している相手先でもよい。これら所定の相手先の情報は、記憶部１５０に記憶されている。
【００２１】
図３は本発明の移動体通信システムにおける無線通信端末３００の内部構成を示す図である。無線通信端末３００は、アンテナ３１０と、アンテナ３１０が接続される共用器３２０と、アンテナ３１０で受信した下り信号が共用器３２０を介して入力される無線受信部３３０ａと、共用器３２０およびアンテナ３１０を介して上り信号を送信する無線送信部３３０ｂと、無線受信部３３０ａから入力される下り信号および無線送信部３３０ｂから送信する上り信号の処理を行うベースバンド処理部３４０と、無線通信端末３００とフェムトセル１００との間の通信を制御する制御部３５０と、各種情報を表示する表示部３６０と、各種操作入力を行う操作部３７０とから成る。制御部３５０は、無線通信端末３００がフェムトセル１００と通信を行う際の下り信号の品質として下り信号の受信状態を検出してこの検出結果を下り信号の品質情報として、受信状態情報をフェムトセル１００に送信する下り方向品質（受信状態）検出・通知部３５０ａを有している。無線通信端末３００は、アンテナ３１０を介してフェムトセル１００と通信を行う際に、下り信号の受信状態（受信レベル）およびＣＲＣチェックコードによるエラー検出率を、例えば当該無線通信端末のユーザの特定操作により通信終了が指示されたとき、もしくは、当該無線通信端末のユーザの特定の操作により下り信号の受信状態（受信レベル）および下り信号のＣＲＣチェックコードによるエラー検出率の通知を指示したときに、フェムトセル本体部に通知する機能を有している。なお、タイミングはこれらに限定するものではない。
【００２２】
［上り方向における自局異常検出制御］
図４は本発明の基地局（フェムトセル１００）において実行する上り方向の異常検出制御を示すフローチャートである。
まず、図４のステップＳ１１では、フェムトセル１００は無線通信端末３００と通信を行う。次のステップＳ１２では、フェムトセル１００の上り信号の受信レベルＲＬＲｘ１および上り信号のエラー検出率ＲＬＥｒｒ１を検出して記憶する。次のステップＳ１３では、ＲＬＲｘ１＜閾値Ａ、または、ＲＬＲｘ１≧閾値ＡかつＲＬＥｒｒ１＞閾値Ｃが成立するか否かを判定し、Ｎｏ（正常）ならばそのまま終了し、Ｙｅｓ（異常）ならばステップＳ１４に進む。なお、異常検出精度（故障診断精度）を向上させるために、ステップＳ１３の状態が予め決められた回数連続して検出された場合にＹｅｓ（異常）と判定するようにしてもよい。
【００２３】
ステップＳ１４では、当該異常がフェムトセル自身の異常によるものか、無線通信端末側の異常によるものかを判定するために、内蔵する端末機能部１９０を起動してフェムトセル本体部と通信させる。次のステップＳ１５では、端末機能部１９０の上り信号の受信レベルＲＬＲｘ２および上り信号のエラー検出率ＲＬＥｒｒ２を検出して記憶する。次のステップＳ１６では、ＲＬＲｘ２＜閾値Ａ、または、ＲＬＲｘ２≧閾値ＡかつＲＬＥｒｒ２＞閾値Ｃが成立するか否かを判定し、Ｎｏ（正常）ならばステップＳ１７に進み、Ｙｅｓ（異常）ならばステップＳ１９に進む。ステップＳ１７では、通信無線通信端末３００の送信異常（アンテナ３１０を含む送信系の異常）と判定する。次のステップＳ１８では、所定の相手先（この実施形態の場合、当該フェムトセルにユーザ登録された無線通信端末３００のユーザ）へ当該異常を示すメッセージである「当該無線通信端末が故障した旨を示すメッセージ」を通知して、修理などの対応を促す。
一方、ステップＳ１６の判定がＹｅｓになった場合に進むステップＳ１９では、フェムトセル１００の受信異常（アンテナ１００を含む受信系の異常）であると判定する。次のステップＳ２０では、所定の相手先（この実施形態の場合、当該フェムトセルに登録されているユーザの代表者であるフェムトセル１００の所有者）へ当該異常を示すメッセージである「当該フェムトセルが故障した旨を示すメッセージ」を送信して、「当該フェムトセルの故障であること」を通知して、修理などの対応を促す。
【００２４】
本発明の基地局（フェムトセル）１００によれば、図４の上り方向の異常検出制御を行って、基地局（フェムトセル）１００と移動局（無線通信端末）３００との間の上り方向の通信の品質（上り信号の受信レベルＲＬＲｘ１，ＲＬＲｘ２および上り信号のエラー検出率ＲＬＥｒｒ１，ＲＬＥｒｒ２）に基づいて自局（フェムトセル）または移動局（無線通信端末）の異常を検出し、異常検出時には所定の相手先（例えば当該フェムトセルの所有者または当該無線通信端末ユーザ）に当該異常を示すメッセージ（例えば当該フェムトセルが故障した旨を示すメッセージまたは当該無線通信端末が故障した旨を示すメッセージ）を通知することができる。したがって、基地局（フェムトセル）自身によるフェムトセルの故障診断が可能になるとともに、基地局（フェムトセル）による移動局（無線通信端末）の故障診断が可能になる。また、膨大な数の基地局（フェムトセル）に関する一括した状態監視に必要となるセンタ局の負担を回避することができる。また、基地局（フェムトセル）の故障をフェムトセル所有者に通知可能にすることにより、フェムトセル所有者は修理依頼など早期の対応が可能になるとともに、移動局（無線通信端末）の故障を無線通信端末ユーザに通知可能にすることにより、無線通信端末ユーザは修理依頼など早期の対応が可能になる。
【００２５】
［下り方向における自局異常検出制御］
図５は本発明の基地局（フェムトセル１００）において実行する下り方向の自局異常検出制御を示すフローチャートである。
まず、図５のステップＳ３１では、フェムトセル１００は無線通信端末３００と通信を行う。次のステップＳ３２では、自局が送信した下り信号の品質情報であるフェムトセル１００の下り信号の受信レベルＦＬＲｘ１および下り信号のエラー検出率ＦＬＥｒｒ１を無線通信端末３００から受信して記憶する。次のステップＳ３３では、ＦＬＲｘ１＜閾値Ｂ、または、ＦＬＲｘ１≧閾値ＢかつＦＬＥｒｒ１＞閾値Ｄが成立するか否かを判定し、Ｎｏ（正常）ならばそのまま終了し、Ｙｅｓ（異常）ならばステップＳ３４に進む。なお、異常検出精度（故障診断精度）を向上させるために、ステップＳ３３の状態が予め決められた回数連続して検出された場合にＹｅｓ（異常）と判定するようにしてもよい。
【００２６】
ステップＳ３４では、当該異常がフェムトセル自身の異常によるものか、無線通信端末側の異常によるものかを判定するために、内蔵する端末機能部１９０を起動してフェムトセル本体部と通信させる。次のステップＳ３５では、自局が送信した下り信号の品質情報であるフェムトセル１００の下り信号の受信レベルＦＬＲｘ２および下り信号のエラー検出率ＦＬＥｒｒ２が端末機能部１９０から通知され、これを受信して記憶する。次のステップＳ３６では、ＦＬＲｘ２＜閾値Ｂ’（閾値Ｂ’≧閾値Ｂとする）、または、ＦＬＲｘ２≧閾値Ｂ’かつＦＬＥｒｒ２＞閾値Ｄが成立するか否かを判定し、Ｎｏ（正常）ならばステップＳ３７に進み、Ｙｅｓ（異常）ならばステップＳ３９に進む。ステップＳ３７では、無線通信端末３００の受信異常（アンテナ３１０を含む受信系の異常）と判定する。次のステップＳ３８では、所定の相手先（この実施形態の場合、当該フェムトセルにユーザ登録された無線通信端末３００のユーザ）へ当該異常を示すメッセージである「当該無線通信端末が故障した旨を示すメッセージ」を通知して、修理などの対応を促す。一方、ステップＳ３６の判定がＹｅｓになった場合に進むステップＳ３９では、フェムトセル１００の送信異常（アンテナ１００を含む送信系の異常）であると判定する。次のステップＳ２０では、所定の相手先（この実施形態の場合、当該フェムトセルに登録されているユーザの代表者であるフェムトセル１００の所有者）へ当該異常を示すメッセージである「当該フェムトセルが故障した旨を示すメッセージ」を送信して、「当該フェムトセルの故障であること」を通知して、修理などの対応を促す。
【００２７】
本発明の基地局（フェムトセル）１００によれば、図５の下り方向の異常検出制御を行って、基地局（フェムトセル）１００と移動局（無線通信端末）３００との間の下り方向の通信の品質（上り信号の受信レベルＦＬＲｘ１，ＦＬＲｘ２および下り信号のエラー検出率ＦＬＥｒｒ１，ＦＬＥｒｒ２）に基づいて自局（フェムトセル）または移動局（無線通信端末）の異常を検出し、異常検出時には所定の相手先（例えば当該フェムトセルの所有者または当該無線通信端末ユーザ）に当該異常を示すメッセージ（例えば当該フェムトセルが故障した旨を示すメッセージまたは当該無線通信端末が故障した旨を示すメッセージ）を通知することができる。したがって、基地局（フェムトセル）自身によるフェムトセルの故障診断が可能になるとともに、基地局（フェムトセル）による移動局（無線通信端末）の故障診断が可能になる。また、膨大な数の基地局（フェムトセル）に関する一括した状態監視に必要となるセンタ局の負担を回避することができる。また、基地局（フェムトセル）の故障をフェムトセル所有者に通知可能にすることにより、フェムトセル所有者は修理依頼など早期の対応が可能になるとともに、移動局（無線通信端末）の故障を無線通信端末ユーザに通知可能にすることにより、無線通信端末ユーザは修理依頼など早期の対応が可能になる。
【００２８】
なお、図４の下り方向の異常検出制御および図５の上り方向の異常検出制御は、何れか一方のみを実行した場合であってもフェムトセルの異常（故障）を検出することができるが、双方を実行することにより検出精度をさらに向上させることができる。
【図面の簡単な説明】
【００２９】
【図１】本発明の一実施形態に係る基地局を含む移動体通信システムの全体構成を示す図である。
【図２】本発明における基地局であるフェムトセルの内部構成を示すブロック図である。
【図３】本発明の移動体通信システムにおける無線通信端末の内部構成を示す図である。
【図４】本発明の基地局（フェムトセル）において実行する上り方向の異常検出制御を示すフローチャートである。
【図５】本発明の基地局（フェムトセル）において実行する下り方向の異常検出制御を示すフローチャートである。
【符号の説明】
【００３０】
１００  フェムトセル
１１０  アンテナ
１２０  共用器
１３０ａ  無線受信部
１３０ｂ  無線送信部
１４０  ベースバンド処理部
１５０  記憶部
１６０  ＬＡＮ接続部
１７０  端末機能部ＯＮ／ＯＦＦ制御部
１８０  制御部
１８０ａ  上り方向受信状態検出部
１８０ｂ  異常検出部
１８０ｃ  通知メッセージ作成部
１９０  端末機能部
２００  内蔵アンテナ
２１０  共用器
２２０ａ  無線受信部
２２０ｂ  無線送信部
２３０  ベースバンド処理部
２４０  端末機能制御部
２４０ａ  下り方向受信状態検出・通知部
３００  移動局（無線通信端末）
３１０  アンテナ
３２０  共用器
３３０ａ  無線受信部
３３０ｂ  無線送信部
３４０  ベースバンド処理部
３５０  制御部
３６０  表示部
３７０  操作部
４００  インターネット網
５００  フェムトセル用ネットワークコントローラ
６００  携帯電話のコアネットワーク（セルラー網）
７００ａ，７００ｂ  既存基地局
８００ａ，８００ｂ，８００ｃ  無線通信端末
【図１】
2010109406.tif 000003
【図２】
2010109406.tif 000004
【図３】
2010109406.tif 000005
【図４】
2010109406.tif 000006
【図５】
2010109406.tif 000007